(57)【要約】  基板（１０１）と、基板（１０１）の表面に取り付けられる複数の発光素子（１０２）と、発光素子（１０２）が放射する光に基づき異なる光を放射する光変換物質を含有し、複数の発光素子（１０２）を一括して覆う第一樹脂部（１０３）と、第一樹脂部（１０３）とは光を変換する性能の異なる第二樹脂部（１０４）とを備え、第二樹脂部（１０４）は、第一樹脂部（１０３）の表面上、かつ、発光素子（１０２）の個別光軸（１２１）と交差しない位置に配置される。
2016143261.tif 000002
【特許請求の範囲】
【請求項１】
基板と、
前記基板の表面に取り付けられる複数の発光素子と、
前記発光素子が放射する光に基づき前記光とは異なる光を放射する光変換物質を含有し、複数の前記発光素子を一括して覆う第一樹脂部と、
光変換物質を含有し、前記第一樹脂部とは光を変換する性能の異なる第二樹脂部とを備え、
前記第二樹脂部は、前記第一樹脂部の表面上、かつ、前記発光素子の光軸である個別光軸と交差しない位置に配置される
発光装置。
【請求項２】
前記第一樹脂は、表面、かつ、前記発光素子の個別光軸と交差しない位置に複数の凹陥部を備え、
前記第二樹脂は、前記凹陥部に配置される
請求項１に記載の発光装置。
【請求項３】
前記第一樹脂部の表面、および、前記第二樹脂部の表面は、略同一の面内に配置される
請求項２に記載の発光装置。
【請求項４】
さらに、
光変換物質を含有し、前記第一樹脂部、および、前記第二樹脂とは光を変換する性能の異なる第三樹脂部とを備え、
前記第三樹脂部は、前記第一樹脂部の表面上、かつ、前記発光素子の個別光軸と交差しない位置、かつ、前記第二樹脂部とは異なる位置に配置され、
前記基板と交差し、前記第二樹脂部、および、前記第三樹脂部の配置が面対称となる対称面を少なくとも２面有する
請求項１〜３のいずれか一項に記載の発光装置。
【請求項５】
前記第二樹脂部は、前記第一樹脂部よりも長波長の光を放射するような光変換物質を備える
請求項１〜４のいずれか一項に記載の発光装置。
【請求項６】
基板と、前記基板の表面に取り付けられる複数の発光素子と、前記発光素子が放射する光に基づき前記光とは異なる光を放射する光変換物質を含有し、複数の前記発光素子を一括して覆う第一樹脂部とを備える発光装置の製造方法であって、
光変換物質を含有し、前記第一樹脂部とは光を変換する性能の異なる第二樹脂部を、硬化した前記第一樹脂部の表面上、かつ、前記発光素子の光軸である個別光軸と交差しない位置に形成する
発光装置の製造方法。
【請求項７】
硬化した前記第一樹脂部の表面上、かつ、前記発光素子の個別光軸と交差しない位置に凹陥部を形成し、
前記凹陥部に、前記第二樹脂部を形成する
請求項６に記載の発光装置の製造方法。
【請求項８】
前記凹陥部を形成する際に発生する粉塵を一方向に押し流す気体流を気体流発生装置により前記第一樹脂部表面に発生させ、
レーザー光を用いて前記凹陥部を前記気体流の下流から上流に向かって形成する
請求項７に記載の発光装置の製造方法。
【請求項９】
さらに、前記発光素子を点灯させて前記基板における前記発光素子の位置を示す位置情報を作成し、
前記第二樹脂部は、前記位置情報に基づき形成する
請求項６〜８のいずれか一項に記載の発光装置の製造方法。
【発明の詳細な説明】
【技術分野】
【０００１】
本発明は、発光装置、および、発光装置の製造方法に関する。
【背景技術】
【０００２】
発光ダイオード（ＬＥＤ：Ｌｉｇｈｔ  Ｅｍｉｔｔｉｎｇ  Ｄｉｏｄｅ）等の固体発光素子は、高効率で省スペースな光源として各種機器に広く利用されている。例えば、ＬＥＤを備えた発光装置は、照明用光源、または、液晶ディスプレイのバックライト用光源などとして利用されている。【０００３】
このようなＬＥＤなどの固体発光素子を用いて白色光を得るには、例えば青色光を発する青色ＬＥＤと、ＬＥＤから放射される青色光（励起光）で励起されて黄色光を蛍光発光する黄色蛍光体とを組み合わせることで擬似的に白色光を得ている。【０００４】
ここで、ＬＥＤが放射する光を蛍光体に照射するために、蛍光体を分散状態で含有する透明な樹脂でＬＥＤを覆うことが行われている。さらに、発光装置間の色度の相違を抑制（いわゆるカラーマッチング）するために、前記樹脂の表面の一部に異なる蛍光体を含有する樹脂などを塗布などにより取り付けて疑似白色光の色度を調整している（特許文献１参照）。
【先行技術文献】
【特許文献】
【０００５】
【特許文献１】特開２０１４−９９６５０号公報
【発明の概要】
【発明が解決しようとする課題】
【０００６】
ところが、第１の樹脂の表面に形成された第２の樹脂の状態によっては、色度の調整加工を施したにも関わらず色度の変動量が不足し、所定の色度に達しない場合、或いは、色度の変動量が過多となり所定の色度を行き過ぎる場合など、色度調整のばらつきが大きくなる場合がある。また、発光装置の色度配光分布にむらが発生し、見る角度によっては色度が変化してしまう現象が発生する場合がある。また、このような発光装置では、発光装置相互間のカラーマッチングが正確に行えない。【０００７】
そこで、発明者は鋭意実験と研究を行った結果、第２の樹脂を所定の状態とすることで色度配光分布のむらを可及的に抑制できることを見出した。【０００８】
本発明は、上記知見に基づきなされたものであり、色度配光分布のむらの発生を抑制しつつ発光装置相互間の色度が合致するように色度が調節された発光装置の提供、および、このような発光装置の製造方法の提供を目的とする。
【課題を解決するための手段】
【０００９】
上記目的を達成するために、本発明にかかる発光装置は、基板と、前記基板の表面に取り付けられる複数の発光素子と、前記発光素子が放射する光に基づき前記光とは異なる光を放射する光変換物質を含有し、複数の前記発光素子を一括して覆う第一樹脂部と、光変換物質を含有し、前記第一樹脂部とは光を変換する性能の異なる第二樹脂部とを備え、前記第二樹脂部は、前記第一樹脂部の表面上、かつ、前記発光素子の光軸である個別光軸と交差しない位置に配置されることを特徴とする。【００１０】
また、上記目的を達成するために、本発明に係る発光装置の製造方法は、基板と、前記基板の表面に取り付けられる複数の発光素子と、前記発光素子が放射する光に基づき前記光とは異なる光を放射する光変換物質を含有し、複数の前記発光素子を一括して覆う第一樹脂部とを備える発光装置の製造方法であって、光変換物質を含有し、前記第一樹脂部とは光を変換する性能の異なる第二樹脂部を、硬化した前記第一樹脂部の表面上、かつ、前記発光素子の光軸である個別光軸と交差しない位置に形成することを特徴とする。
【発明の効果】
【００１１】
本発明によれば、色度配光分布のむらを抑制しつつ色度をシフトさせることが可能となるので、所望の色度調整を行うことができる。また、色度調整の結果、相互の色度が合致する発光装置を提供することができる。
【図面の簡単な説明】
【００１２】
【図１】図１は、発光装置を上方から示す平面図である。
【図２】図２は、発光装置の一部を省略して示す断面図である。
【図３】図３は、発光装置を仮想的な対称面と共に上方から示す斜視図である。
【図４】図４は、発光装置の色度の調整原理を示すｘｙ色度図である。
【図５】図５は、他の実施の形態に係る発光装置の一部を省略して示す断面図である。
【図６】図６は、第一樹脂部の表面と第二樹脂部の表面との高さを示す断面図である。
【図７】図７は、凹陥部を形成する際の発光装置を上方から示す平面図である。
【図８】図８は、第二樹脂部、第三樹脂部のパターンの一例を示す平面図である。
【図９】図９は、第二樹脂部、第三樹脂部のパターンの他の例を示す平面図である。
【発明を実施するための形態】
【００１３】
次に、本発明に係る発光装置、および、発光装置の製造方法の実施の形態について、図面を参照しつつ説明する。なお、以下の実施の形態は、本発明に係る発光装置、および、発光装置の製造方法の一例を示したものに過ぎない。従って本発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００１４】
また、図面は、本発明を示すために適宜強調や省略、比率の調整を行った模式的な図となっており、実際の形状や位置関係、比率とは異なる場合がある。
【００１５】
（実施の形態１）
［発光装置］
図１は、発光装置を上方から示す平面図である。
【００１６】
図２は、図１中のＡ−Ａ線で示す断面における発光装置の一部を省略して示す断面図である。
【００１７】
これらの図に示すように、発光装置１００は、基板１０１の表面に複数個取り付けられた各発光素子１０２に電力を供給して点灯させ、光を放射する装置であり、基板１０１、および、発光素子１０２の他、第一樹脂部１０３と、第二樹脂部１０４とを備えている。本実施の形態の場合、発光装置１００はさらに、第三樹脂部１０５と、バンク１０６とを備えている。
【００１８】
基板１０１は、発光素子１０２を所定の配置で保持し、保持した各発光素子１０２に電力を供給するための電線（図示せず）を備える板状の部材である。基板１０１の形状は特に限定されるものではない。また、基板１０１を構成する材料は、特に限定されるものではないが、例えば、メタル、樹脂、セラミック、ガラス等を例示することができる。
【００１９】
基板１０１は、発光素子１０２から基板１０１に向かって放射される光を導光し、発光素子１０２の間から導光した光を発光素子１０２が取り付けられた面から放射することができるものが好ましい。これにより、発光効率が向上するからである。このような基板１０１としては、例えばアルミナを焼成させて得られる白色のセラミック基板を挙示することができる。このような基板１０１は、発光素子１０２から基板１０１に向かって放射された光を散乱（乱反射）させながら導光し、発光素子１０２の間から光を放射させることができるものである。
【００２０】
また、基板１０１を構成する樹脂としては、具体的に例えば、ガラス繊維とエポキシ樹脂とからなるガラスエポキシ、ポリイミド等を挙示することができる。樹脂製の基板１０１の場合可撓性を備えることが可能となる。
【００２１】
また、基板１０１を構成する金属としては、具体的に例えば、アルミニウム合金基板、鉄合金、銅合金等を挙示することができる。なお、基板１０１が金属製の場合、発光素子１０２との絶縁を確保するため、基板１０１は、発光素子１０２と金属部分との間に絶縁膜（レジスト）を備える場合がある。なお、絶縁膜は、発光装置１００の発光効率を向上させるため高い反射率を有するもの、例えば、白色レジストなどが好ましい。
【００２２】
発光素子１０２は、基板１０１の表面に取り付けられ、基板１０１に設けられた配線を用いて供給された電力に基づき単一波長、または、ほぼ単一波長の光を放射する部品である。発光素子１０２は、具体的に例えば発光ダイオード（ＬＥＤ）である。本実施の形態の場合、発光素子１０２は、無機系半導体からなる発光ダイオードであり、一つの発光素子１０２の配光における最も光度の高い部分の方向を示す光軸は、発光素子１０２が取り付けられている基板１０１の面と交差（直交）するように取り付けられている。また、発光素子１０２は、基板１０１側にも光を放射している。なお、本明細書、および、請求の範囲において、前記光軸を個別光軸１２１と記す。これは、発光装置１００全体の光軸と区別するためである。
【００２３】
発光素子１０２は、黄色よりも短波長の光を放射するものであり、具体的には青色の光を放射するものである。また、発光素子１０２は、パッケージ化されていない半導体素子（いわゆるベアチップ）であり、基板１０１に直接実装されている。従って本実施の形態の場合発光装置１００は、ＣＯＢ（Ｃｈｉｐ  Ｏｎ  Ｂｏａｒｄ）構造である。
【００２４】
第一樹脂部１０３は、発光素子１０２が放射する光に基づき発光素子１０２が放射する光とは異なる光を放射する光変換物質を含有する樹脂部材である。また、第一樹脂部１０３は、基板１０１上に配置された複数の発光素子１０２を一括して覆うように配置されている。
【００２５】
本実施の形態の場合、発光装置１００は、複数の発光素子１０２を取り囲む環状のバンク１０６を基板１０１の表面上に備えており、基板１０１とバンク１０６とで形成される器状の部分の内方に第一樹脂部１０３が充填状態で配置されている。これにより、第一樹脂部１０３の表面が平坦化されている。
【００２６】
第一樹脂部１０３が備える光変換物質は、発光素子１０２が放射する光によって励起されて発光素子１０２が放射する光とは異なる波長の光を放射する蛍光物質、および、発光素子１０２が放射する光または蛍光物質が放射する光の一部の波長を吸収する（透過させない）顔料や染料などのフィルタ物質のうちの少なくとも一方の物質を含むものである。
【００２７】
本実施の形態の場合、第一樹脂部１０３が備える光変換物質は、蛍光物質を含んでいる。蛍光物質は、発光素子１０２が放射する光（青色）によって励起されて蛍光発光し、発光素子１０２が発する光とは異なる色（黄色）の光を放射する。以上により、発光装置１００全体としては、発光素子１０２が放射する青色の光と光変換物質によって放射される黄色の光の両方を放射するものであり、これらの光を一度に看取する人は、白色光（擬似的な）が照射されていると認識する。なお、第一樹脂部１０３が備える光変換物質は、複数種類の蛍光物質を含んでいてもよく、異なる種類の蛍光の光量の比率を変えることで白色光の色度を効果的に調整することが可能となる。
【００２８】
第一樹脂部１０３を構成する樹脂は、光変換物質を分散状態で保持し、発光素子１０２が放射する光や光変換物質が変換した光を透過させることができる透光性を有している。具体的に例えば、樹脂、シリコーン樹脂又はエポキシ樹脂等を挙示することができる。
【００２９】
光変換物質としては、例えばＹＡＧ（イットリウム・アルミニウム・ガーネット）系の蛍光物質を例示することができる。当該ＹＡＧは、発光素子１０２が放射する青色の光に基づき黄色の光を放射することができる物質である。また、光変換物質として含まれる他の蛍光物質としては、ＣＡＳＮ（ＣａＡｌＳｉＮ３：Ｅｕ）を挙示することができる。これは、発光素子１０２が放射する光に基づき赤色を放射する物質であり、発光装置１００が全体として放射する光のスペクトルを調整し、擬似的な白色光の色度を調整する。さらに、光変換物質は、緑色を放射する蛍光物質などを加えて、または、代替的に含んでいてもよい。
【００３０】
第一樹脂部１０３はさらに、光拡散材を分散的に含んでいてもよい。光拡散材は例えばシリカなどの微粒子であり、これにより発光素子１０２は放射する光や光変換物質で変換された光が散乱（乱反射）し、発光素子１０２の個々の存在感が薄れ、発光装置１００全体として面状に光が放射するような印象を人に与えることができる。
【００３１】
第二樹脂部１０４は、光変換物質を含有し、第一樹脂部１０３とは光を変換する性能の異なる樹脂部材である。ここで、「光を変換する性能が異なる」とは、同一の光を入射させ、同一の条件で第一樹脂部１０３、および、第二樹脂部１０４から放射される光の全体を看取や測定した際に、異なる印象や色度、スペクトルなどが得られる場合を意味する。従って、第一樹脂部１０３と第二樹脂部１０４とが同種の樹脂、および、同種の光変換物質からなるものであったとしても、光変換物質の濃度が異なる場合などは、光を変換する性能が異なることになる。
【００３２】
なお、第二樹脂部１０４に含有される光変換物質は、発光素子１０２が放射する光によって励起されて発光素子１０２が放射する光とは異なる波長の光を放射する蛍光物質、および、発光素子１０２が放射する光または蛍光物質が放射する光の一部の波長を吸収する（透過させない）顔料や染料などのフィルタ物質のうちの少なくとも一方の物質を含むものである。つまり、光変換物質は、発光素子１０２が放射する光を長波長側に変換（シフト）させるものである。
【００３３】
第二樹脂部１０４は、第一樹脂部１０３の表面上、かつ、発光素子１０２の個別光軸１２１と交差しない位置に配置されており、第二樹脂部１０４の内方には発光素子１０２は存在していない。このような配置とするのは、発光素子１０２から放射される短波長の光（青色）は、空気と第一樹脂部１０３、または、第二樹脂部１０４との界面における臨界角が小さく、長波長の光（黄色または赤色）ほど臨界角が大きいことを利用するためである。
【００３４】
つまり、第二樹脂部１０４が発光素子１０２の直上から離れた位置に配置されていても発光素子１０２から放射される青色光は、第一樹脂部１０３と第二樹脂部１０４との界面で反射することなく通過できるため、第二樹脂部１０４に多くの青色光が侵入し、第二樹脂部１０４が備える光変換物質により多くの青色光が長波長の光に変換される。従って、発光素子１０２から放射される青色光に基づき多くの長波長の光(黄色または赤色)が効率よく放射される。また、発光素子１０２の直上に第二樹脂部１０４を配置すると、第二樹脂部１０４が青色光に対するレンズのように機能し、発光素子１０２に対する第二樹脂部１０４の位置が少しでもずれると全体の色調が変化するため、正確な位置に第二樹脂部１０４を設けなければならず、高い加工精度を必要とすることになる。
【００３５】
以上説明したとおり第二樹脂部１０４を第一樹脂部１０３の表面上、かつ、発光素子１０２の個別光軸１２１と交差しない位置に配置することにより、発光装置１００の色度の調整を精度良く行うことができ、発光装置１００相互の色度を合致させる調整作業が容易になる。
【００３６】
さらに本実施の形態の場合、第一樹脂部１０３の表面が平坦化されているため、発光素子１０２と第二樹脂部１０４との位置関係が安定し、同一の条件で第二樹脂部１０４を配置した際に発生する発光装置１００相互間の色度の誤差を小さくすることが可能となる。
【００３７】
また、第二樹脂部１０４は、円環状のバンク１０６の内方に所定の間隔でマトリクス状に配置される発光素子１０２の間に線状（直線、または、曲線を含む）に延びて配置されている。これにより、第二樹脂部１０４をドット状に配置するよりも安定した形状で配置することができ第二樹脂部１０４により調整した色度を安定させることができる。
【００３８】
また、第二樹脂部１０４は、発光素子１０２の全体を取り囲むように環状にも配置されている。これにより、比較的大きく第二樹脂部１０４を配置することができ、発光装置１００全体の色度を容易に調整できるようになる。
【００３９】
また、第二樹脂部１０４は、図３に斜視図で示すように、基板１０１と交差する仮想的な対称面１４１で面対称となるように配置されている。対称面１４１は、少なくとも２面存在している。さらに、二つの対称面１４１の交線は、発光装置１００全体の光軸（以下、個別光軸と区別するために全体光軸１２２と記す）と一致している。このように第二樹脂部１０４を面対称に配置することにより第一樹脂部１０３の表面上の一部に光を変換する性能が異なる第二樹脂部１０４を配置した場合でも、発光装置１００全体としての色度配光分のむらを効果的に抑制することができる。
【００４０】
第二樹脂部１０４は、第一樹脂部１０３よりも長波長の光を放射するような光変換物質を備えている。ここで、長波長の光を放射するとは、第二樹脂部１０４が放射する光のスペクトルのピークが、第一樹脂部１０３の放射する光のスペクトルのピークよりも長波長側にあることを意味している。具体的には、第二樹脂部１０４が備える光変換物質として赤色を放射する蛍光物質を含んでおり、当該赤色を放射する蛍光物質の濃度が第一樹脂部１０３が備える赤色を放射する蛍光物質の濃度よりも濃い、または、第二樹脂部１０４は光変換物質として赤色を放射する蛍光物質のみを備える場合などである。
【００４１】
第二樹脂部１０４が備える樹脂は特に限定されるものではないが、本実施の形態の場合は、第一樹脂部１０３が備える樹脂と同種のものが用いられている。
【００４２】
第三樹脂部１０５は、光変換物質を含有し、第一樹脂部１０３、および、第二樹脂部１０４とは光を変換する性能の異なる樹脂部材である。第三樹脂部１０５は、第二樹脂部１０４と同様に、第一樹脂部１０３の表面上、かつ、発光素子１０２の個別光軸１２１と交差しない位置、かつ、第二樹脂部１０４とは異なる位置に配置されている。
【００４３】
このように、第一樹脂部１０３の表面に相互に光を変換する性能が異なる第二樹脂部１０４と第三樹脂部１０５とを配置することで、図４のｘｙ色度図で例示するように、第二樹脂部１０４、および、第三樹脂部１０５が配置されていない状態の発光装置１００の初期色度Ｂを目標色度Ａに容易にシフトさせることが可能となる。つまり、第二樹脂部１０４を形成することにより発光装置１００の色度がシフトする方向と大きさを示す第二色度ベクトル１０４ａと、第三樹脂部１０５を形成することにより発光装置１００の色度がシフトする方向と大きさを示す第三色度ベクトル１０５ａとにより、あたかもベクトルの和のように発光装置１００の初期色度Ｂを目標色度Ａに容易にシフトさせることが可能となる。従って、発光装置１００相互間の色度の調整を容易にすることが可能となる。
【００４４】
本実施の形態の場合、第三樹脂部１０５は、発光素子１０２の間であって第二樹脂部１０４に沿うように線状（直線、または、曲線を含む）に延びて配置されている。また、第三樹脂部１０５は、第二樹脂部１０４の対称面１４１と同じ面で面対称となっている。さらに第一樹脂部１０３も、第二樹脂部１０４の対称面１４１と同じ面で面対称となっている。これらにより、発光装置１００の色度配光分布のムラを抑制しつつ、高い自由度で発光装置１００の色度を調整することが可能となる。
【００４５】
なお、第二樹脂部１０４と第三樹脂部１０５とはできる限り交互に配置することが望ましい。このような配置により発光装置１００の色度配光分布のむらの発生を抑制することが可能となる。
【００４６】
（実施の形態２）
続いて、実施の形態２について説明する。なお、実施の形態１と同様の作用や機能、同様の形状や機構や構造を有するもの（部分）には同じ符号を付して説明を省略する場合がある。また、以下では実施の形態１と異なる点を中心に説明し、同じ内容については説明を省略する場合がある。
【００４７】
［発光装置］
図５は、本実施の形態に係る発光装置の全体光軸を含む断面の一部を省略して示す断面図である。
【００４８】
同図に示すように、第一樹脂部１０３は、表面、かつ、発光素子１０２の個別光軸１２１と交差しない位置に複数の凹陥部１３１を備えている。また、第二樹脂部１０４は、凹陥部１３１の内方に収容状態で配置されている。本実施の形態の場合、第三樹脂部１０５も凹陥部１３１の内方に収容状態で配置されている。また、凹陥部１３１は、発光素子１０２の間を一方向に延び、並んで配置される複数の線状の溝、および、発光素子１０２が配置される領域を囲む環状の溝である。
【００４９】
このように、凹陥部１３１に第二樹脂部１０４や第三樹脂部１０５を配置することにより、第一樹脂部１０３の平坦な面に第二樹脂部１０４や第三樹脂部１０５を配置するよりも第一樹脂部１０３との接合強度を向上させることが可能となる。特に、第一樹脂部１０３の表面にレーザー光を用いて凹陥部１３１を形成することで第一樹脂部１０３と第二樹脂部１０４、および、第三樹脂部１０５との接合強度を向上させることが可能となる。
【００５０】
また、第二樹脂部１０４や第三樹脂部１０５を塗布により形成する場合、凹陥部１３１に樹脂を塗布することにより形成された第二樹脂部１０４や第三樹脂部１０５の形状が安定し、調整後の発光装置１００の色度を安定させることが可能となる。さらに、第二樹脂部１０４や第三樹脂部１０５と発光素子１０２との距離が第一樹脂部１０３の表面に設けるよりも近くなるため、発光素子１０２の光が第二樹脂部１０４や第三樹脂部１０５に、より多く入射し、発光装置１００の色度の調整において第二樹脂部１０４や第三樹脂部１０５を顕著に寄与させることが可能となる。さらに、凹陥部１３１の存在により第一樹脂部１０３の光変換物質の総量が減少するため、発光装置１００の色度の調整において第二樹脂部１０４や第三樹脂部１０５が顕著に寄与することとなる。
【００５１】
また、第一樹脂部１０３の表面、および、第二樹脂部１０４の表面は、略同一の面内に配置されることが好ましい。これにより、発光装置１００の色度配光分布のむらの発生を抑制することができるためである。ここで第一樹脂部１０３の表面、および、第二樹脂部１０４の表面は、略同一の面内に配置されるとは、例えば、図６に示すように、第一樹脂部１０３の表面から第二樹脂部１０４の表面までの差Ｈが±０．２ｍｍ以内に収まるような状態を意味している。
【００５２】
［発光装置の製造方法］
本実施の形態における発光装置１００は、例えば、次のようにして製造することができる。
【００５３】
まず、所定の配線が施された基板１０１に発光素子１０２表面実装する。表面実装には、発光素子１０２と基板１０１に設けられた配線とをワイヤボンディングする工程も含まれる場合がある。
【００５４】
次に、基板１０１の表面に取り付けられた発光素子１０２の全体を囲うようにバンク１０６を形成する。バンク１０６を形成する方法は特に限定されないが、例えば所定の樹脂をノズルから吐出しながらノズルと基板１０１とを相対的に移動させて環状に樹脂を塗布し、塗布した樹脂を硬化させる方法を挙示することができる。また、バンク１０６を設ける必要が無い場合は、当該工程を省略してもよい。
【００５５】
次に、発光素子１０２を一括して覆うように第一樹脂部１０３を形成する。本実施の形態の場合、バンク１０６と基板１０１とにより器状に形成された部分に第一樹脂部１０３を形成するための樹脂を充填する。この場合、器状の部分に樹脂を充填するため、当該樹脂の粘度は比較的小さいものでもよい。これにより、硬化により形成された第一樹脂部１０３の表面を平坦にすることが可能となる。
【００５６】
なお、ここまでの工程とここからの工程を一連で実施してもよく、また、ここまでの工程を別途実施することにより製品として製造された発光装置１００に対して、次工程を実施してもかまわない。
【００５７】
次いで、この状態の発光装置１００を定格の電力で発光させ、発光装置１００の色度を測定する。なお、発光装置１００の色度が既知である場合、本工程を省略することが可能である。そして、測定された色度（または、既知の色度）である初期色度Ｂと目標とする色度である目標色度Ａに基づき（図４参照）、第二樹脂部１０４の状態、第三樹脂部１０５の状態を決定する。第二樹脂部１０４の状態、第三樹脂部１０５の状態とは、第二樹脂部１０４、および、第三樹脂部１０５のそれぞれを形成することにより発光装置１００の色度がシフトする方向と大きさを示す色度ベクトルを決定するパラメータも含むものである。具体的に例えばそのパラメータには、光変換物質の種類や濃度、全体の量、第二樹脂部１０４や第三樹脂部１０５の配置状態、凹陥部１３１の深さなどが含まれる。
【００５８】
以上のパラメータに基づき、形成された第一樹脂部１０３の表面に凹陥部１３１を形成する。ここで、基板１０１における各発光素子１０２の位置が第一樹脂部１０３の存在により不明である場合などは、発光素子１０２を点灯させて基板１０１における各発光素子１０２の位置を示す位置情報を作成し、作成された位置情報に基づき凹陥部１３１を形成すればよい。これは、凹陥部１３１を形成することなく第二樹脂部１０４を形成する場合も同様である。具体的には、発光素子１０２に投入する電流を定格の５０％以下にして発光素子１０２を微発光させ、当該状態をカメラで撮像し、得られた像を画像解析することにより位置情報を作成する方法を例示できる。
【００５９】
また、凹陥部１３１をレーザー光により形成する場合、図７に示すように、凹陥部１３１を形成する際に発生する粉塵を一方向に押し流す気体流２００を気体流発生装置（図示せず）により第一樹脂部１０３の表面に発生させ、気体流２００の下流から上流に向かって凹陥部１３１を形成することが望ましい。これにより、凹陥部１３１を形成する際に発生する粉塵が次の凹陥部１３１を形成する際のレーザー光によって焼け焦げる現象を回避することができ、界面が透明な凹陥部１３１を形成することが可能となる。なお、気体流発生装置は特に限定されるものではないが、基板１０１の外周部近傍にノズルの開口部を配置し、当該ノズルから気体を吸引することにより気体流２００を発生させるものなどを例示できる。なお、凹陥部１３１を設ける必要が無い場合は、当該工程を省略することができる。
【００６０】
次に第一樹脂部１０３の表面に設けられた凹陥部１３１（または表面）に第二樹脂部１０４を形成する。この場合、第二樹脂部１０４を形成するための液状の樹脂を用意し、凹陥部１３１に樹脂を充填するようにして第二樹脂部１０４を形成することが好ましい。これにより、第一樹脂部１０３の表面と第二樹脂部１０４の表面とを同一面内に容易に配置することが可能となる。なお、液状の樹脂を塗布する方法としては、ジェットディスペンサ法を例示することができる。
【００６１】
次いで、第二樹脂部１０４の形成と同様に、第三樹脂部１０５を形成する。
【００６２】
以上により、所望の色度の光を放射することができる発光装置１００が製造される。
【００６３】
［発光装置の作用効果］
本実施の形態における発光装置１００では、第一樹脂部１０３の表面に、第二樹脂部１０４および第三樹脂部１０５が形成されているため所望の色度の光が放射される。従って、発光装置１００相互間での色度の差を可及的に少なくすることができ、安定した製品を容易に提供することが可能となる。つまり、第一樹脂部１０３までが形成された発光装置１００について発光素子１０２を発光させて色度を測定し、測定した色度が所定の範囲内に入っていない場合、第二樹脂部１０４、加えて第三樹脂部１０５を形成して発光装置１００の色度をシフトさせることで、発光装置１００の色度を所定の範囲内に収めることが可能となる。
【００６４】
また、発光装置１００が放射する光の色度配光分布のむらの発生を可及的に抑制することが可能となる。
【００６５】
なお、本発明は、上記実施の形態に限定されるものではない。例えば、本明細書において記載した構成要素を任意に組み合わせて、また、構成要素のいくつかを除外して実現される別の実施の形態を本発明の実施の形態としてもよい。また、上記実施の形態に対して本発明の主旨、すなわち、請求の範囲に記載される文言が示す意味を逸脱しない範囲で当業者が思いつく各種変形を施して得られる変形例も本発明に含まれる。
【００６６】
例えば、発光装置１００は、第一樹脂部１０３により発光素子１０２を一括して封止状態とすることができる場合、バンク１０６を備えなくてもかまわない。
【００６７】
また、発光装置１００の製造方法については、凹陥部１３１を形成する場合を例示したが、第一樹脂部１０３に凹陥部１３１を設けることなく、第二樹脂部１０４や第三樹脂部１０５を第一樹脂部１０３の表面に形成してもかまわない。
【００６８】
第二樹脂部１０４や第三樹脂部１０５の配置状態は、図８に示すように屈曲するものでもよく、また、図９に示すように、同心円状に配置されるものでもよい。また、発光素子１０２の間を縫うような曲線を描くようなものでもよい。さらに、第二樹脂部１０４や第三樹脂部１０５を網目状に配置しても良く、また、ドット状や島状に配置してもかまわない。
【００６９】
また、第二樹脂部１０４などのパターンと同様に凹陥部１３１のパターンも本発明の要件を満たす範囲で任意に選定することができる。
【００７０】
また、発光装置１００の色度を調整をする際、色度を測定した後に、第二樹脂部１０４、第三樹脂部１０５の状態を決定したが、第二樹脂部１０４、および、第三樹脂部１０５を徐々に形成しつつ都度色度を測定し、目標色度Ａに達した段階で第二樹脂部１０４や第三樹脂部１０５の形成を終了してもかまわない。
【００７１】
また、発光素子１０２は、青色よりも短波長である紫外光を放射するものでもかまわない。半導体レーザー、有機ＥＬ（Ｅｌｅｃｔｒｏ  Ｌｕｍｉｎｅｓｃｅｎｃｅ）その他の固体発光素子などでもよい。また、発光素子１０２は、パッケージ型のものでもかまわない。
【符号の説明】
【００７２】
１００  発光装置
１０１  基板
１０２  発光素子
１０３  第一樹脂部
１０４  第二樹脂部
１０５  第三樹脂部
１２１  個別光軸
１３１  凹陥部
１４１  対称面
２００  気体流
【図１】
2016143261.tif 000003
【図２】
2016143261.tif 000004
【図３】
2016143261.tif 000005
【図４】
2016143261.tif 000006
【図５】
2016143261.tif 000007
【図６】
2016143261.tif 000008
【図７】
2016143261.tif 000009
【図８】
2016143261.tif 000010
【図９】
2016143261.tif 000011
【国際調査報告】
2016143261.tif 000012
2016143261.tif 000013
2016143261.tif 000014
2016143261.tif 000015